(57)【要約】【課題】パチンコ機，スロットマシン等の遊技機における扉を開閉可能にヒンジする蝶番機構であって、リンクの所要本数を少なくし、構成を簡略化するとともに、開閉時の扉の動きを適宜自由に設定できるようにする。【解決手段】本体１の開口縁に略水平に固着される固定側基板３に第一リンク６を水平面内で回転自在なるように軸支し、該第一リンクの先端部に第二リンク８を水平面内で回転自在なるように軸支し、該第一リンクの略中間部に第三リンク１０を水平面内で回転自在なるように軸支し、扉２の内面に固着される扉側基板１２に第二リンクの先端部および第三リンクの先端部を夫々所定間隔を離して軸支し、該第三リンクの第一リンクとの交点より先まで延長された部分１０ａに案内部１５を突設し、該案内部が遊嵌する案内溝１６を前記固定側基板に形成し、該各リンクと該案内溝とにより扉の開閉時の動きが規制されるようにした。【選択図】図３
2005124925.tif 000002
【特許請求の範囲】
【請求項１】
本体の開口縁に略水平に固着される固定側基板に第一リンクを水平面内で回転自在なるように軸支し、該第一リンクの先端部に第二リンクを水平面内で回転自在なるように軸支し、該第一リンクの略中間部に第三リンクを水平面内で回転自在なるように軸支し、扉の内面に固着される扉側基板に第二リンクの先端部および第三リンクの先端部を夫々所定間隔を離して軸支し、該第三リンクの第一リンクとの交点より先まで延長された部分に案内部を突設し、該案内部が遊嵌する案内溝を前記固定側基板に形成し、該各リンクと該案内溝とにより扉の開閉時の動きが規制されるようにしたことを特徴とする遊技機用蝶番機構。
【請求項２】
案内溝は固定側基板に概略第一リンクの基端部側に膨らむ滑らかな曲線状に形成されたものである請求項１に記載の遊技機用蝶番機構。
【発明の詳細な説明】
【技術分野】
【０００１】
本発明はパチンコ機，スロットマシン等の遊技機における扉を開閉可能にヒンジする蝶番機構に関するものである。
【背景技術】
【０００２】
一般に蝶番機構によって開閉可能に支持されている遊技機の扉には、ディスプレイ，制御回路基板等の多数の構成機器が設けられ、表面には球皿、ディスプレイ枠、操作釦、或いは装飾用の表面板等が設けられていることから非常に厚手のものとなっている。このため扉を開く際に開度が十分でないうちに隣接する遊技機や球貸機等に衝突するおそれがあり、メンテナンスに支障をきたしたり装飾部を破損させるおそれがあった。
【０００３】
その衝突を避けるために、下記特許文献１に記載された蝶番機構は、略パンタグラフ様に連結された４本のリンクを介して扉を支持することにより、大きく円弧状の軌跡を描いて扉が開閉されるようにするものであった。
【特許文献１】特許第３１４６１６３号公報
【特許文献２】特開平０８−２６６７２９号公報
【特許文献３】実公平０６−３２１４７号公報
【発明の開示】
【発明が解決しようとする課題】
【０００４】
ところで従来の上記特許文献１に記載された蝶番機構は、リンクを４本用いているにも拘わらず、扉の動きを自由に設定できないという問題がある。
また上記特許文献２および特許文献３に記載された蝶番機構についても扉の動きを必要に応じた自由な設定ができないという問題があった。
【０００５】
そこで本発明は、リンクの所要本数を少なくし、構成を簡略化できるとともに、開閉時の扉の動きを適宜自由に設定できる遊技機用蝶番機構を提供しようとするものである。
【課題を解決するための手段】
【０００６】
そのために本発明に係る遊技機用蝶番機構は、本体の開口縁に略水平に固着される固定側基板に第一リンクを水平面内で回転自在なるように軸支し、該第一リンクの先端部に第二リンクを水平面内で回転自在なるように軸支し、該第一リンクの略中間部に第三リンクを水平面内で回転自在なるように軸支し、扉の内面に固着される扉側基板に第二リンクの先端部および第三リンクの先端部を夫々所定間隔を離して軸支し、該第三リンクの第一リンクとの交点より先まで延長された部分に案内部を突設し、該案内部が遊嵌する案内溝を前記固定側基板に形成し、該各リンクと該案内溝とにより扉の開閉時の動きが規制されるようにしたことを特徴とする。
【０００７】
また本発明は上記遊技機用蝶番機構において、案内溝は固定側基板に概略第一リンクの基端部側に膨らむ滑らかな曲線状に形成されたものであることを特徴とする。
【発明の効果】
【０００８】
案内溝の形状を適宜設定することにより開閉時の扉の動きを必要に応じ自由に設定できるとともに、所要リンク本数が少なく構成が簡略化される。
【実施例１】
【０００９】
次にこの発明の実施例を図１〜図５に従い説明する。図１〜図４に示す符号１は、遊技機の本体、２は該本体の前面開口に開閉可能にヒンジしようとする扉である。３は該本体１の開口縁に止めネジ４によって略水平に固着される固定側基板で、該固定側基板に支軸５を固植し第一リンク６を水平面内で回転自在なるように軸支するとともに、該第一リンクの先端部に支軸７を貫挿し第二リンク８を水平面内で回転自在なるように軸支する。また、該第一リンクの略中間部に支軸９を貫挿し第三リンク１０を水平面内で回転自在なるように軸支する。そして扉２の内面に止めネジ１１によって固着された扉側基板１２に第二リンク８の先端部および第三リンク１０の先端部を夫々支軸１３および支軸１４により所定間隔を離して軸支する。
【００１０】
また、第三リンク１０の第一リンク６との交点より先に延長した部分１０ａの下面に図４に示したように軸状の案内部１５を突設し、該案内部１５の外周にローラ１７を回転自在に設け、該案内部１５が遊嵌する案内溝１６を前記固定側基板３に形成する。なお、該案内溝１６は、図５に示したように、概ね第一リンク６の基端部側（支軸５側）に膨らむ滑らかな曲線状に固定側基板３に形成されたものである。また、案内部１５の外周に回転自在に設けたローラ１７は、該案内部１５が案内溝１６内を軽摩擦で移動し得るようにするものである。
【００１１】
このように構成した蝶番機構では、扉２を開閉操作したとき、案内部１５は案内溝１６に規制され該案内溝内のみを往復移動し得ることから、該案内溝と各リンクとにより扉２の動きが規制され、図１に示した全閉状態から図２に示した途中状態を経て図３に示した全開状態となる。即ち、扉２の基端２ｂ側は案内溝１６により規制された第三リンク１０によって大きな円弧状軌跡を描いて動くことにより開閉途中にて本体１の開口縁から離れ、全開状態になっても本体１の側面からはみ出すことがない。このため、扉２は厚手の表面板が設けられていても隣接する遊技機等に接触することなく開閉することができる。また、案内部１５を第三リンク１０の第一リンク６との交点より先に延長した部分１０ａに突設したので、案内溝１６を固定側基板３における支軸５の近くに形成することができ、その結果、該固定側基板３の大きさ、殊に幅を小さくすることができ取付を容易にする。
【００１２】
なお、固定側基板３に形成される案内溝１６の形状を適宜設定することにより開閉時の扉の動きを必要に応じ自由に設定することができる。図５に示した固定側基板３の案内溝１６の場合は、閉状態にある扉２を開き始めたときに案内部１５をガイドする案内溝１６の一端部１６ａ（以下、開始期部１６ａという）が本体１の開口面に対して後側に傾斜する角度αが約５°に設定され、さらに扉２を開いて行くときに案内部１５をガイドする案内溝１６の中間部１６ｂ及び他端部１６ｃ（以下、開中期部１６ｂ及び開終期部１６ｃという）の本体１の開口面との傾斜角度βが約４５°に設定されていることから、図１〜図３に示したような軌跡で扉２が開閉される。
【００１３】
また、図６に示した固定側基板３の案内溝１６の場合は、傾斜角度αをゼロに設定し、傾斜角度βを約３０°に設定したことにより、開始期の扉２が本体１の前面開口から離間し始めるとき該扉２全体が平行状態を保ち得る過程をより長くすることができる。このため扉２の内面に本体１内へ大きく突出する部品（例えばディスプレイ）、或いは針金侵入防止用の突堤（針金等の異物を突っ込んで遊技機内を操作する不正行為を防止するために該本体１の扉２との対向面に互いに嵌合する突堤と嵌合溝を形成し、針金等が侵入するクリアランスをなくす構成）が設けられていても支障なく開閉することができる。さらには、図７に示した固定側基板３の案内溝１６のように、開始期部１６ａが本体１の開口面に対して前側に傾斜するように角度αを適宜設定することにより、開始期に扉２が本体１から離間し始めるときの該扉２全体が平行状態を保ち得る過程をさらに長くすることができ上記構成の場合の開閉をさらにスムースにさせる。
このように、本発明では案内溝１６の形状を適宜設定することによって、扉２の動きを必要に応じ自由に設定することができる。
【００１４】
なお、この蝶番機構は必要に応じ本体１の上部と下部に設けられるが、夫々本体１の開口の内側に設け外部に露出させないように取り付けることも可能である。
【産業上の利用可能性】
【００１５】
また本発明は、パチンコ機の木枠に対し前面枠を支持するための蝶番機構、前面枠に対しガラス枠（上皿，下皿、または、これらを一体に構成した球皿扉枠等）を支持するための蝶番機構、前面枠に対しセット板を支持するための蝶番機構、或いは、スロットマシンの前面枠を支持するための蝶番機構等にも使用することができる。
【図面の簡単な説明】
【００１６】
【図１】本発明の実施例を示す遊技機用蝶番機構の全閉時の平面図。
【図２】図１の蝶番機構の開閉途中の平面図。
【図３】図１の蝶番機構の全開時の平面図。
【図４】図１の蝶番機構のＡ−Ａ線断面図。
【図５】図１の蝶番機構の固定側基板の平面図。
【図６】本発明に係る遊技機用蝶番機構の固定側基板の他の実施例を示した平面図。
【図７】本発明に係る遊技機用蝶番機構の固定側基板の他の実施例を示した平面図。
【符号の説明】
【００１７】
１        本体
２        扉
３        固定側基板
５        支軸
６        第一リンク
７        支軸
８        第二リンク
９        支軸
１０      第三リンク
１０ａ    第三リンクの延長部分
１２      扉側基板
１３      支軸
１４      支軸
１５      案内部
１６      案内溝
１７      ローラ
【図１】
2005124925.tif 000003
【図２】
2005124925.tif 000004
【図３】
2005124925.tif 000005
【図４】
2005124925.tif 000006
【図５】
2005124925.tif 000007
【図６】
2005124925.tif 000008
【図７】
2005124925.tif 000009